(57)【要約】【課題】電圧や電流の対応しない制御装置との誤接続を抑制できる照明システム及び照明装置を提供する。【解決手段】実施形態によれば、制御装置と、照明装置と、を備えた照明システムが提供される。制御装置は、交流電力を直流電力に変換して出力する。照明装置は、接続部と、発光部と、異常検知部と、を含む。接続部は、制御装置と電気的に接続される。発光部は、発光素子を含み、接続部を介して入力された直流電力により、発光素子を発光させる。異常検知部は、直流電力の異常を検知し、異常を検知した時に、発光部を短絡させる。【選択図】図１
2015149229.tif 000002
【特許請求の範囲】
【請求項１】
交流電力を直流電力に変換し、前記直流電力を出力する制御装置と、
前記制御装置と電気的に接続される接続部と、
発光素子を含み、前記接続部を介して入力された前記直流電力により、前記発光素子を発光させる発光部と、
前記直流電力の異常を検知し、前記異常を検知した時に、前記発光部を短絡させる異常検知部と、
を含む照明装置と、
を備えた照明システム。
【請求項２】
前記異常検知部は、前記直流電力の電圧値が所定値以上の時に、オン状態になって前記発光部を短絡させるスイッチング素子を含む請求項１記載の照明システム。
【請求項３】
前記異常検知部は、前記直流電力の電流値が所定値以上の時に、オン状態になって前記発光部を短絡させるスイッチング素子を含む請求項１または２に記載の照明システム。
【請求項４】
前記異常検知部は、前記直流電力の電流値が所定値以下の時に、オン状態になって前記発光部を短絡させるスイッチング素子を含む請求項１〜３のいずれか１つに記載の照明システム。
【請求項５】
交流電力を直流電力に変換して出力する制御装置と電気的に接続される接続部と、
発光素子を含み、前記接続部を介して入力された前記直流電力により、前記発光素子を発光させる発光部と、
前記直流電力の異常を検知し、前記異常を検知した時に、前記発光部を短絡させる異常検知部と、
を備えた照明装置。
【発明の詳細な説明】
【技術分野】
【０００１】
本発明の実施形態は、照明システム及び照明装置に関する。
【背景技術】
【０００２】
照明装置と、照明装置に電力を供給する制御装置と、を含む照明システムがある。例えば、照明装置の１つとして、約１２Ｖの電圧で点灯する低電圧ハロゲンランプがある。低電圧ハロゲンランプは、電子トランスと呼ばれる制御装置に接続される。電子トランスは、ＡＣ１００Ｖの商用電源をＡＣ１２Ｖに変換して低電圧ハロゲンランプに供給する。
【０００３】
照明装置では、例えば、消費電力の低減を目的として、低電圧ハロゲンランプをＬＥＤなどの発光素子を用いたランプに置き換える動きがある。発光素子を用いた照明装置を電子トランスに接続すると、電子トランスの動作が不安定になり、例えば、チラツキや異音が発生する場合がある。このため、照明装置の置き換えに合わせて、電子トランスを発光素子に対応した制御装置に置き換えることも検討されている。
【０００４】
照明装置の定格電圧や定格電流は、品種によって異なる。このため、異なる品種の制御装置に照明装置を接続した場合、照明装置に過電圧や過電流が入力されてしまうことが懸念される。従って、発光素子を用いた照明装置、及び、これを含む照明システムでは、電圧や電流の対応しない制御装置との誤接続を抑制することが望まれる。
【先行技術文献】
【特許文献】
【０００５】
【特許文献１】国際公開第２０１１／０３３４１５号
【発明の概要】
【発明が解決しようとする課題】
【０００６】
本発明の実施形態は、電圧や電流の対応しない制御装置との誤接続を抑制できる照明システム及び照明装置を提供する。
【課題を解決するための手段】
【０００７】
本発明の実施形態によれば、制御装置と、照明装置と、を備えた照明システムが提供される。前記制御装置は、交流電力を直流電力に変換し、前記直流電力を出力する。前記照明装置は、接続部と、発光部と、異常検知部と、を含む。前記接続部は、前記制御装置と電気的に接続される。前記発光部は、発光素子を含み、前記接続部を介して入力された前記直流電力により、前記発光素子を発光させる。前記異常検知部は、前記直流電力の異常を検知し、前記異常を検知した時に、前記発光部を短絡させる。
【発明の効果】
【０００８】
電圧や電流の対応しない制御装置との誤接続を抑制できる照明システム及び照明装置が提供される。
【図面の簡単な説明】
【０００９】
【図１】第１の実施形態に係る照明装置を模式的に表すブロック図である。
【図２】制御装置の一例を模式的に表すブロック図である。
【図３】第１の実施形態に係る別の照明装置を模式的に表すブロック図である。
【図４】第２の実施形態に係る照明装置を模式的に表すブロック図である。
【図５】第２の実施形態に係る別の照明装置を模式的に表すブロック図である。
【図６】第２の実施形態に係る別の照明装置を模式的に表すブロック図である。
【図７】第３の実施形態に係る照明装置を模式的に表すブロック図である。
【発明を実施するための形態】
【００１０】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１１】
（第１の実施形態）
図１は、第１の実施形態に係る照明装置を模式的に表すブロック図である。  
図１に表したように、照明システム１０は、照明装置１２と、制御装置１４と、を備える。制御装置１４は、照明装置１２と電気的に接続される。また、制御装置１４は、交流電源４と電気的に接続される。交流電源４は、例えば、１００Ｖ（実効値）の交流電力を制御装置１４に供給する。交流電源４は、例えば、商用電源や自家発電機などである。制御装置１４は、交流電源４から供給された交流電力を直流電力に変換する。制御装置１４は、交流電力を照明装置１２に対応した直流電力に変換する。そして、制御装置１４は、変換後の直流電力を照明装置１２に出力する。照明装置１２は、制御装置１４からの直流電力の供給に応じて点灯する。
【００１２】
照明システム１０は、例えば、ソケット１６をさらに含む。ソケット１６は、制御装置１４と電気的に接続されている。照明装置１２は、ソケット１６を介して制御装置１４と電気的に接続される。照明装置１２は、ソケット１６を介して制御装置１４に着脱可能に接続される。照明装置１２は、例えば、配線などを介して制御装置１４と直接的に接続してもよい。すなわち、照明装置１２と制御装置１４との間の電気的な接続は、ソケット１６に限らない。ソケット１６は、必要に応じて設けられ、省略可能である。
【００１３】
照明装置１２は、口金２０（接続部）と、発光部２２と、異常検知部２４と、を含む。口金２０は、制御装置１４との電気的な接続に用いられる。照明装置１２は、口金２０を介して制御装置１４と電気的に接続される。口金２０は、一対のピン２０ａ、２０ｂ（第１、第２の嵌合部）を有する。一対のピン２０ａ、２０ｂの長さや直径等のサイズは、実質的に同じである。
【００１４】
口金２０は、ソケット１６に着脱可能に保持される。ソケット１６は、一対の穴１６ａ、１６ｂ（第１、第２の被嵌合部）を有している。各穴１６ａ、１６ｂの形状は、各ピン２０ａ、２０ｂの形状に対応している。各ピン２０ａ、２０ｂは、各穴１６ａ、１６ｂに差し込まれる。これにより、照明装置１２が、制御装置１４と電気的に接続される。
【００１５】
各ピン２０ａ、２０ｂは、穴１６ａ、１６ｂに対して可逆的に接続可能である。すなわち、ピン２０ａは、穴１６ａ、１６ｂの一方に接続可能であり、ピン２０ｂは、ピン２０ａが接続された状態において、穴１６ａ、１６ｂの他方に接続可能である。このように、照明装置１２は、口金２０によってソケット１６に機械的に保持されるとともに、口金２０によってソケット１６と電気的に接続される。
【００１６】
なお、第１、第２の嵌合部や第１、第２の被嵌合部は、上述の例に限らない。但し、第１、第２の嵌合部は、第１、第２の被嵌合部に対して可逆的に接続可能な形状にする。これにより、例えば、照明装置１２をソケット１６に取り付けやすくすることができる。第１、第２の被嵌合部は、例えば、凹部でもよい。
【００１７】
発光部２２は、発光素子２６を含む。発光部２２は、口金２０を介して入力された直流電力により、発光素子２６を発光させる。発光素子２６には、例えば、発光ダイオード（Light Emitting Diode：ＬＥＤ）が用いられる。照明装置１２は、例えば、ＬＥＤランプである。発光素子２６は、ＬＥＤに限ることなく、例えば、有機発光ダイオード（Organic Light Emitting Diode：ＯＬＥＤ）やレーザダイオード（Laser Diode）などでもよい。
【００１８】
発光部２２には、例えば、複数の発光素子２６が設けられる。この例では、８つの発光素子２６が設けられている。この例では、４つの発光素子２６が直列に接続されている。そして、直列に接続された４つの発光素子２６同士が並列に接続されている。各発光素子２６の接続は、任意でよい。例えば、各発光素子２６のそれぞれを直列に接続してもよいし、各発光素子２６のそれぞれを並列に接続してもよい。また、各発光素子２６の数は、任意でよい。発光素子２６は、例えば、１つでもよい。
【００１９】
発光部２２は、第１端子２２ａと第２端子２２ｂとを有する。例えば、直列に接続された４つの発光素子２６のうちの最初の発光素子２６のアノードが、第１端子２２ａと電気的に接続され、最後の発光素子２６のカソードが、第２端子２２ｂと電気的に接続される。これにより、第１端子２２ａから第２端子２２ｂに向かう一方の方向に電流が流れた際に、各発光素子２６が点灯する。なお、第１端子２２ａ及び第２端子２２ｂは、直列または並列に接続された各発光素子２６に電流を流すことができる任意の電気的な接続点でよい。例えば、直列に接続された４つの発光素子２６のうちの最初の発光素子２６のアノードを第１端子２２ａとし、最後の発光素子２６のカソードを第２端子２２ｂとしてもよい。
【００２０】
照明装置１２は、整流器２８をさらに含む。整流器２８は、口金２０と発光部２２との間に電気的に接続されている。整流器２８は、発光部２２に流れる電流を第１端子２２ａから第２端子２２ｂに向かう一方の方向に整流する。すなわち、整流器２８は、発光部２２に流れる電流を各発光素子２６の順方向に整流する。これにより、各ピン２０ａ、２０ｂを各穴１６ａ、１６ｂに対して可逆的に接続可能とした場合にも、各発光素子２６に逆方向に電圧が印加されてしまうことを抑制することができる。例えば、各発光素子２６の故障を抑制できる。なお、整流器２８は、必要に応じて設けられ、省略可能である。
【００２１】
整流器２８は、例えば、４つのダイオード２８ｄを含むブリッジ回路である。整流器２８は、例えば、４つのダイオード２８ｄをワンパッケージに納めたものを用いてもよいし、４つのダイオード２８ｄを組み合わせてもよい。なお、整流器３０は、４つのダイオード３２を用いたブリッジ回路に限ることなく、発光部１２に流れる電流を整流できる任意の回路でよい。
【００２２】
第１端子２２ａは、各ピン２０ａ、２０ｂの一方と少なくとも電気的に接続される。第２端子２２ｂは、各ピン２０ａ、２０ｂの他方と少なくとも電気的に接続される。この例では、第１端子２２ａ、２２ｂのそれぞれが、整流器２８を介して、各ピン２０ａ、２０ｂのそれぞれと電気的に接続される。整流器２８を省略した場合には、例えば、第１端子２２ａが、ピン２０ａと電気的に接続され、第２端子２２ｂが、ピン２０ｂと電気的に接続される。
【００２３】
照明装置１２は、チョッパ回路などの電源回路（電力変換回路）を含まない。このため、照明装置１２では、制御装置１４から供給された直流電力が、直接的に発光部２２に入力される。換言すれば、配線などによるロス分を除いて、制御装置１４から出力された直流電力の電圧と実質的に同じ電圧が、第１端子２２ａと第２端子２２ｂとの間に印加される。
【００２４】
異常検知部２４は、スイッチング素子４０と、ツェナーダイオード４１と、抵抗４２〜４４と、を含む。スイッチング素子４０は、一対の主電極４０ａ、４０ｂと、制御電極４０ｃと、を含む。スイッチング素子４０には、例えば、バイポーラトランジスタやＦＥＴなどが用いられる。この例において、スイッチング素子４０は、ノーマリオフ型である。
【００２５】
スイッチング素子４０の主電極４０ａは、抵抗４２を介してピン２０ａと電気的に接続されている。スイッチング素子４０の主電極４０ｂは、抵抗４３を介してピン２０ｂと電気的に接続されている。スイッチング素子４０の制御電極４０ｃは、抵抗４４を介してピン２０ｂと電気的に接続されている。また、スイッチング素子４０の制御電極４０ｃは、ツェナーダイオード４１のアノードと電気的に接続されている。ツェナーダイオード４１のカソードは、ピン２０ａと電気的に接続されている。
【００２６】
異常検知部２４では、口金２０を介して入力された直流電力の電圧が、ツェナーダイオード４１の降伏電圧以上になると、スイッチング素子４０の制御電極４０ｃに高い電圧が印加されて、スイッチング素子４０がオン状態になる。これにより、スイッチング素子４０は、発光部２２を短絡させる。スイッチング素子４０は、直流電力の電圧値が所定値以上の時に、オン状態になって発光部２２を短絡させる。
【００２７】
このように、この例において、異常検知部２４は、直流電力の過電圧を異常として検知し、過電圧を検知した時に、発光部２２を短絡させる。換言すれば、制御装置１４の二次側を短絡させる。異常検知部２４の検知する直流電力の電圧値は、発光部２２の順方向降下電圧（ＶＦ）よりも高い。例えば、発光部２２のＶＦが１２Ｖである場合、異常検知部２４の検知する直流電力の電圧値は、２０Ｖ程度に設定される。すなわち、ツェナーダイオード４１の降伏電圧が、２０Ｖ程度に設定される。異常検知部２４の検知する直流電力の電圧値は、例えば、発光部２２のＶＦの１．５倍程度である。異常検知部２４の検知する直流電力の電圧値は、例えば、発光部２２のＶＦの１．２倍以上２．０倍以下である。
【００２８】
図２は、制御装置の一例を模式的に表すブロック図である。  
図２に表したように、制御装置１４は、例えば、整流器５０と、平滑コンデンサ５１と、トランス５２と、スイッチング素子５３と、ダイオード５４と、出力コンデンサ５５と、ドライバ回路５６と、を含む。
【００２９】
整流器５０は、交流電源４と電気的に接続される。整流器５０は、交流電源４の交流電力を脈流電力に変換する。整流器５０は、例えば、ダイオードブリッジである。整流器５０は、例えば、交流電源４の交流電力を全派整流する。整流器５０は、半波整流器などでもよい。平滑コンデンサ５１は、整流器５０から出力される脈流電力を平滑化し、脈流電力を直流電力に変換する。
【００３０】
トランス５２は、一次巻き線５２ａと、二次巻き線５２ｂと、を有する。スイッチング素子５３は、一対の主電極５３ａ、５３ｂと、制御電極５３ｃと、を有する。スイッチング素子５３には、例えば、パワーＭＯＳＦＥＴなどが用いられる。
【００３１】
トランス５２の一次巻き線５２ａの一端は、平滑コンデンサ５１の高電位側の端子と電気的に接続される。一次巻き線５２ａの他端は、スイッチング素子５３の主電極５３ａと電気的に接続される。スイッチング素子５３の主電極５３ｂは、平滑コンデンサ５１の低電位側の端子と電気的に接続される。スイッチング素子５３の制御電極５３ｃは、ドライバ回路５６と電気的に接続される。ドライバ回路５６は、スイッチング素子５３のスイッチングを制御する。
【００３２】
トランス５２の二次巻き線５２ｂの一端は、ダイオード５４のアノードと電気的に接続される。ダイオード５４のカソードは、ソケット１６の穴１６ａに設けられた電極と電気的に接続される。すなわち、ダイオード５４のカソードは、口金２０のピン２０ａと電気的に接続される。二次巻き線５２ｂの他端は、ソケット１６の穴１６ｂに設けられた電極と電気的に接続される。すなわち、二次巻き線５２ｂの他端は、口金２０のピン２０ｂと電気的に接続される。出力コンデンサ５５は、ダイオード５４に対して並列に接続される。出力コンデンサ５５は、二次巻き線５２ｂから出力される電力を平滑化し、直流電力に変換する。
【００３３】
制御装置１４は、スイッチング素子５３のスイッチングにより、交流電源４の交流電力を照明装置１４に対応した直流電力に変換する。制御装置１４は、例えば、１００Ｖ（実効値）の交流電力を１２Ｖの直流電力に変換する。この例において、制御装置１４は、いわゆる絶縁型フライバック方式のＤＣ−ＤＣコンバータを含む。制御装置１４の構成は、上記に限ることなく、交流電力を直流電力に変換可能な任意の構成でよい。
【００３４】
また、ドライバ回路５６は、照明装置１２に供給される電圧及び電流の少なくとも一方を検知する。そして、ドライバ回路５６は、電圧及び電流の異常を検知した場合、スイッチング素子５３の制御を停止する。すなわち、照明装置１２への直流電力の供給を停止する。なお、照明装置１２に供給される電圧及び電流は、二次側から検知してもよいし、一次側から検知してもよい。
【００３５】
このように、制御装置１４は、本実施形態のような照明装置に適するように設計されたものであり、電子トランスを含まない。照明装置１２は、口金２０をソケット１６に嵌合させることで、電子トランスを含まず、直流電力を出力する制御装置１４に、電気的に接続される光源として主として設計されたものである。制御装置１４は、例えば、ピン２０ｂを共通電位（例えば接地電位）に設定し、ピン２０ａを共通電位よりも高い電位に設定する。これにより、各発光素子２６に順方向電圧が印加され、各発光素子２６が点灯する。
【００３６】
照明の分野では、低電圧ハロゲンランプなどを、ＬＥＤなどの発光素子を用いた照明装置に置き換える動きがある。低電圧ハロゲンランプに用いられる電子トランスには、ある程度の電流を流さないと動作が安定しないという特性がある。ＬＥＤなどの発光素子を用いた照明装置は、低電圧ハロゲンランプに比べて消費電力が小さい。また、本実施形態のような照明装置は、電源回路などを含んでいない。このため、照明装置では、必要な電流を流すことができず、電子トランスの動作が不安定になってしまう場合がある。例えば、電子トランスの出力が間欠的になり、チラツキや異音が発生する。このため、低電圧ハロゲンランプを照明装置に置き換える場合、低電圧ハロゲンランプ用の電子トランスも照明装置用の制御装置に置き換える必要がある。
【００３７】
照明装置の定格電圧や定格電流は、品種によって異なる。このため、異なる品種の制御装置に照明装置を接続した場合、照明装置に過電圧や過電流が入力されてしまうことが懸念される。例えば、５０Ｖを出力する制御装置に、発光部のＶＦが１２Ｖの照明装置を接続した場合、発光部に過電圧が加わり、発光部を破損させてしまう可能性がある。
【００３８】
これに対して、本実施形態にかかる照明装置１２では、過電圧が入力された場合に、異常検知部２４が、過電圧を検知し、発光部２２を短絡させる。従って、発光部２２が点灯しなくなる。これにより、例えば、照明装置１２が、対応しない品種の制御装置１４に接続されたことを、利用者に報知することができる。例えば、対応しない品種の制御装置１４に接続されたまま照明装置１２が使用されてしまうことを抑制することができる。このように、本実施形態にかかる照明システム１０及び照明装置１２では、電圧や電流の対応しない制御装置１４との誤接続を抑制することができる。例えば、過電圧や過電流の入力にともなう発光部２２の破損などを抑制することができる。
【００３９】
また、発光部２２を短絡させることにより、発光部２２に過電圧が印加されてしまうことを抑制することができる。例えば、発光部２２の破損を抑制することができる。さらに、照明システム１０では、発光部２２を短絡させることにより、スイッチング素子４０などに大きな電流が流れる。この過電流を制御装置１４のドライバ回路５６が検知して、スイッチング素子５３の制御を停止する。これにより、例えば、発光部２２などの破損をより適切に抑制することができる。
【００４０】
図３は、第１の実施形態に係る別の照明装置を模式的に表すブロック図である。  
図３に表したように、照明システム１００の照明装置１０２では、過電圧を直流電力の異常として検知する異常検知部２４が、発光部２２と整流器２８との間に設けられている。このように、異常検知部２４は、整流器２８の前に設けてもよいし、整流器２８の後に設けてもよい。
【００４１】
（第２の実施形態）
図４は、第２の実施形態に係る照明装置を模式的に表すブロック図である。  
図４に表したように、照明システム２００の照明装置２０２では、異常検知部２４が、スイッチング素子６０と、抵抗６１〜６３と、を含む。
【００４２】
スイッチング素子６０は、一対の主電極６０ａ、６０ｂと、制御電極６０ｃと、を有する。スイッチング素子６０には、例えば、バイポーラトランジスタやＦＥＴなどが用いられる。この例において、スイッチング素子６０は、ノーマリオフ型である。スイッチング素子６０は、ノーマリオン型でもよい。
【００４３】
主電極６０ａは、整流器２８の高電位側の出力端子と電気的に接続される。換言すれば、主電極６０ａは、発光部２２の第１端子２２ａと電気的に接続される。主電極６０ｂは、整流器２８の低電位側の出力端子と電気的に接続される。換言すれば、主電極６０ｂは、発光部２２の第２端子２２ｂと電気的に接続される。
【００４４】
制御電極６０ｃは、抵抗６１の一端、及び、抵抗６２の一端と電気的に接続される。抵抗６１の他端は、整流器２８の高電位側の出力端子と電気的に接続される。抵抗６２の他端は、発光部２２の第２端子２２ｂ、及び、抵抗６３の一端と電気的に接続される。抵抗６３の他端は、主電極６０ｂ、及び、整流器２８の低電位側の出力端子と電気的に接続される。
【００４５】
発光部２２に定格電流が流れている場合、スイッチング素子６０は、オフ状態である。そして、スイッチング素子６０は、発光部２２に定格電流よりも大きい所定の電流が流れ、オン状態になる。すなわち、スイッチング素子６０は、抵抗６２、６３の電圧が所定値以上になった場合に、オン状態になる。これにより、スイッチング素子６０は、発光部２２を短絡させる。スイッチング素子６０は、直流電力の電流値が所定値以上の時に、オン状態になって発光部２２を短絡させる。例えば、上記のようにスイッチング素子６０のオン・オフが切り替わるように、各抵抗６１〜６３の抵抗値が決められる。
【００４６】
この例において、異常検知部２４は、直流電力の過電流を異常として検知し、過電流を検知した時に、発光部２２を短絡させる。異常検知部２４の検知する直流電力の電流値は、例えば、発光部２２の定格電流値の１．５倍程度である。異常検知部２４は、例えば、定格電流の約１．５倍の電流が発光部２２に流れた時に、スイッチング素子６０をオン状態にする。異常検知部２４の検知する直流電力の電流値は、例えば、発光部２２の定格電流値の１．２倍以上２．０倍以下である。
【００４７】
このように、異常検知部２４の検知する直流電力の異常は、過電流でもよい。照明システム２００及び照明装置２０２においても、異常検知部２４が過電流を検知した際に、発光部２２が消灯し、対応しない品種の制御装置１４に接続されたことを、利用者に報知することができる。照明システム２００及び照明装置２０２においても、上記第１の実施形態と同様に、電圧や電流の対応しない制御装置１４との誤接続を抑制することができる。過電圧や過電流の入力にともなう発光部２２の破損などを抑制することができる。
【００４８】
図５は、第２の実施形態に係る別の照明装置を模式的に表すブロック図である。  
図５に表したように、照明システム２１０の照明装置２１２では、過電流を直流電力の異常として検知する異常検知部２４が、口金２０と整流器２８との間に設けられている。このように、過電流を検知する異常検知部２４は、整流器２８の前に設けてもよいし、整流器２８の後に設けてもよい。
【００４９】
図６は、第２の実施形態に係る別の照明装置を模式的に表すブロック図である。  
図６に表したように、照明システム２２０の照明装置２２２では、異常検知部２４が、直流電力の過電圧を検知する第１回路２４ａと、直流電力の過電流を検知する第２回路２４ｂと、を含む。すなわち、照明装置２２２は、直流電力の過電圧と過電流とを異常として検知する異常検知部２４を含む。
【００５０】
第１回路２４ａは、照明装置１２と同様に、直流電力の電圧値が所定値以上の時に、オン状態になって発光部２２を短絡させるスイッチング素子４０を含む。第２回路２４ｂは、照明装置２０２と同様に、直流電力の電流値が所定値以上の時に、オン状態になって発光部２２を短絡させるスイッチング素子６０を含む。
【００５１】
このように、異常検知部２４は、直流電力の過電圧と過電流との双方を異常として検知してもよい。これにより、電圧や電流の対応しない制御装置１４との誤接続をより適切に抑制することができる。例えば、過電圧や過電流の入力にともなう発光部２２の破損などをより適切に抑制することができる。
【００５２】
照明装置２２２では、過電圧を検知する第１回路２４ａを整流器２８の前に設け、過電流を検知する第２回路２４ｂを整流器２８の後に設けている。これに限ることなく、例えば、第２回路２４ｂを整流器２８の前に設け、第１回路２４ａを整流器２８の後に設けてもよい。第１回路２４ａと第２回路２４ｂとの双方を整流器２８の前に設けてもよい。第１回路２４ａと第２回路２４ｂとの双方を整流器２８の後に設けてもよい。
【００５３】
（第３の実施形態）
図７は、第３の実施形態に係る照明装置を模式的に表すブロック図である。  
図７に表したように、照明システム３００の照明装置３０２では、異常検知部２４が、スイッチング素子７０、７１と、抵抗７２〜７７と、を含む。
【００５４】
スイッチング素子７０は、一対の主電極７０ａ、７０ｂと、制御電極７０ｃと、を有する。同様に、スイッチング素子７１は、一対の主電極７１ａ、７１ｂと、制御電極７１ｃと、を有する。各スイッチング素子７０、７１には、例えば、バイポーラトランジスタやＦＥＴなどが用いられる。この例において、各スイッチング素子７０、７１は、ノーマリオフ型である。各スイッチング素子７０、７１は、ノーマリオン型でもよい。
【００５５】
スイッチング素子７０の主電極７０ａは、抵抗７２の一端と電気的に接続される。主電極７０ｂは、整流器２８の低電位側の出力端子と電気的に接続される。制御電極７０ｃは、抵抗７３の一端と電気的に接続される。
【００５６】
スイッチング素子７１の主電極７１ａは、抵抗７４の一端と電気的に接続される。主電極７１ｂは、抵抗７５の一端と電気的に接続される。制御電極７１ｃは、抵抗７３の一端と電気的に接続される。
【００５７】
各抵抗７２〜７４のそれぞれの他端は、整流器２８の高電位側の出力端子と電気的に接続される。抵抗７５の他端は、抵抗７６の一端と電気的に接続される。抵抗７６の他端は、整流器２８の低電位側の出力端子と電気的に接続される。抵抗７７の一端は、制御電極７０ｃ、制御電極７１ｃ、及び、抵抗７３の一端と電気的に接続される。抵抗７７の他端は、抵抗７６の一端と電気的に接続される。
【００５８】
発光部２２に定格電流が流れている場合、スイッチング素子７０は、オン状態であり、スイッチング素子７１は、オフ状態である。スイッチング素子７０は、直流電力の電流値が小さくになり、抵抗７６、７７の電圧が所定値以下になった時に、オフ状態になる。スイッチング素子７０がオフ状態になると、抵抗７７に流れる電流が増加する。これにより、スイッチング素子７１の制御電極７１ｃに印加される電圧（抵抗７７の電圧）が増加し、スイッチング素子７１がオン状態になる。すなわち、スイッチング素子７１は、スイッチング素子７０がオフ状態になった時に、オン状態になる。これにより、スイッチング素子７１は、発光部２２を短絡させる。スイッチング素子７１は、直流電力の電流値が所定値以下の時に、オン状態になって発光部２２を短絡させる。
【００５９】
例えば、上記のように各スイッチング素子７０、７１のオン・オフが切り替わるように、各抵抗７２〜７７の抵抗値が決められる。例えば、正常時にスイッチング素子７０に流れる電流を抑えるため、抵抗７２の抵抗値は、比較的高く設定される。一方、異常検知時に発光部２２に流れる電流を抑制するため、各抵抗７４、７５の抵抗値は、比較的低く設定される。各抵抗７４、７５の抵抗値は、抵抗７２の抵抗値よりも低い。
【００６０】
この例において、異常検知部２４は、直流電力の過小電流を異常として検知し、過小電流を検知した時に、発光部２２を短絡させる。このように、異常検知部２４の検知する直流電力の異常は、過小電流でもよい。照明システム３００及び照明装置３０２においても、異常検知部２４が過小電流を検知した際に、発光部２２が消灯し、対応しない品種の制御装置１４に接続されたことを、利用者に報知することができる。照明システム３００及び照明装置３０２においても、上記第１の実施形態及び上記第２の実施形態と同様に、電圧や電流の対応しない制御装置１４との誤接続を抑制することができる。
【００６１】
なお、過小電流を検知する異常検知部２４は、整流器２８の前に設けてもよい。異常検知部２４は、過小電流の検知と過電流の検知とを行ってもよい。異常検知部２４は、過小電流の検知と過電圧の検知とを行ってもよい。異常検知部２４は、例えば、直流電力の過電圧を検知する第１回路と、直流電力の過電流を検知する第２回路と、直流電力の過小電流を検知する第３回路と、を含んでもよい。異常検知部２４は、例えば、直流電力の過電圧と過電流と過小電流との少なくとも１つを検知すればよい。
【００６２】
上記各実施形態では、口金２０を有し、口金２０を介して外部からの電力供給を受ける照明装置を示している。すなわち、上記各実施形態では、いわゆる照明ランプを照明装置として示している。照明装置は、ランプに限ることなく、例えば、配線を介して外部からの電力供給を受ける照明モジュールでもよい。すなわち、制御装置１４と電気的に接続するための接続部は、配線でもよい。照明装置を照明モジュールとする場合、照明装置と制御装置１４との間の電気的な接続は、例えば、端子台を介して行ってもよい。照明システムは、例えば、照明装置（照明モジュール）と、制御装置１４と、端子台と、を含んでもよい。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
４…交流電源、  １０、１００、２００、２１０、２２０、３００…照明システム、  １２、１０２、２０２、２１２、２２２、３０２…照明装置、  １４…制御装置、  １６…ソケット、  ２０…口金（接続部）、  ２２…発光部、  ２４…異常検知部、  ２６…発光素子、  ２８…整流器、  ４０…スイッチング素子、  ４１…ツェナーダイオード、  ４２〜４４…抵抗、  ５０…整流器、  ５１…平滑コンデンサ、  ５２…トランス、  ５３…スイッチング素子、  ５４…ダイオード、  ５５…出力コンデンサ、  ５６…ドライバ回路、  ６０…スイッチング素子、  ６１〜６３…抵抗、  ７０、７１…スイッチング素子、  ７２〜７７…抵抗
【図１】
2015149229.tif 000003
【図２】
2015149229.tif 000004
【図３】
2015149229.tif 000005
【図４】
2015149229.tif 000006
【図５】
2015149229.tif 000007
【図６】
2015149229.tif 000008
【図７】
2015149229.tif 000009